(57)【要約】【課題】コストの掛かる合紙を使用せず、板紙の折畳み構造でボードの剛性を確保すると伴に、正面パネルを折り畳むことができる持ち運びに便利な折畳ボード及びこれを用いた折畳可能なハンガー什器を提案するものである。【解決手段】１枚の単紙を、縦方向の平行する山折罫線５〜８に沿って折り畳んだボードであって、正面板２の左右それぞれに、山折罫線を介して背面板３と中面板４を順次連設しており、正面板２は、横方向の平行する２本の山折罫線９、１０を有し、この２本の山折罫線に沿って、ボードを上下方向に折畳むことが可能であることを特徴とする折畳ボード１、並びにこれを用いたハンガー什器２０である。【選択図】図１
2019050920.tif 000002
【特許請求の範囲】
【請求項１】
１枚の単紙を、縦方向の平行する山折罫線に沿って折り畳んだボードであって、
正面板の左右それぞれに、前記縦方向の山折罫線を介して背面板と中面板を順次連設しており、
正面板は、横方向の平行する２本の山折罫線を有し、
左右の背面板は、それぞれ、前記正面板の２本の山折罫線と中心線を共有し、かつ前記２本の山折罫線より間隔の広い２本の谷折罫線と、前記中心線上に設けられた１本の山折罫線を有し、
左右の中面板は、それぞれ、前記正面板の２本の山折罫線と中心線を共有し、かつ前記正面板の２本の山折罫線よりも間隔が広く、前記背面板の２本の谷折罫線よりも間隔が狭い２本の山折罫線と、前記中心線上に設けられた１本の谷折罫線を有し、
前記正面板に設けられた横方向に平行する２本の山折罫線に沿って、ボードを折畳むことが可能であることを特徴とする折畳ボード。
【請求項２】
前記正面板、背面板、中面板に設けられた横方向に平行する罫線群を２組有することを特徴とする請求項１に記載の折畳ボード。
【請求項３】
請求項１または２に記載の折畳ボードの正面板にフックを取り付けたことを特徴とするハンガー什器。
【請求項４】
前記フックは、前記折畳ボードの正面板、中面板、背面板を貫通する孔に挿入されており、前記３枚の板を束ねて固定する働きを有するものであることを特徴とする請求項３に記載のハンガー什器。
【請求項５】
前記フックは、折畳むことにより、突出高さを低くすることが可能な構造であることを特徴とする請求項３または４に記載のハンガー什器。
【発明の詳細な説明】
【技術分野】
【０００１】
本発明は、折畳み可能な紙製のボード、及びこれを用いて作成した、品物を吊下げて展示するためのハンガー什器に関する。
【背景技術】
【０００２】
紙製のボードは、ゲーム類の基板や、組立式の置台、家具などに広く用いられている。紙製のボードは、従来複数枚の板紙を貼り合わせて厚い板状にした合紙が用いられていた。合紙構造は、しっかりした平面構造が得られる半面、高価であるという欠点があった。また、そのままでは折畳むことができない為、どうしても折畳式にする場合には、複数の板を薄い紙や布で繋いで、屏風状にすることが行われている。しかしこのような構造は、作成に人手を要するため高価なものとなるばかりでなく、板と板の間の紙が破れて破壊しやすいという欠点がある。
【０００３】
一方、ハンガー什器は、基板に複数のハンガーフックを取り付けたもので、フックに品物を吊下げて店頭に展示したり、あるいは品物を整理したりするために使用する什器である。
【０００４】
ハンガー什器としては、木製の高級なものから、紙製の安価なものまで、大きさや材質がさまざまな種類のものが作られている。店頭において商品を吊下げて展示販売するためのものとしては、大量生産が可能な紙製のものが多く用いられている。
【０００５】
特許文献１に記載された展示具は、店舗の売場で商品を展示する目的で使用する展示具であって、パネルの背面側に三角筒状の補強筒を沿わせて、パネルの撓みを防止した展示具である。この展示具は、縦方向に折目を設けた板紙を、折目に沿って折り畳むことで三角筒状の補強筒を組み立てられるようにしたものである。運搬時あるいは使用しない時には、すべての部材が平面状に展開されており、現場で容易に組み立てられることを特徴としている。
【０００６】
特許文献１に記載された展示具は、構造上、正面パネルの剛性を確保する必要から、材質として３枚の板紙を貼り合わせた合紙を使用している。このような合紙は剛性を有するので、合紙を用いた展示具は、しっかりとした展示具となる反面、コストが掛かるという欠点の他、そのままでは折り畳むことができないため、正面パネルの大きさよりも小さく梱包することができないという問題があった。
【０００７】
特許文献２に記載された多層構造陳列ボードは、ボードの一部を折畳めるようにしたハンガー什器である。この陳列ボードは、ボードの材質として、複数枚の古紙を貼合した合紙を用いているため、折畳む部分には、裏面から切り目を入れて、表面のみ残すことにより、下部を表面側に折り込めるようにしたものである。折目の補強のために裏面から補強テープを貼るという手間の掛かる方法を用いている。
【０００８】
特許文献２に記載された多層構造陳列ボードは、裏面から補強テープを貼ると、テープを剥がさない限り、２度と折畳めなくなるという欠点があるが、そもそもフックが折畳み式ではないため、一度組み立てた後は、再度折畳むことを前提としていないものである。
【先行技術文献】
【特許文献】
【０００９】
【特許文献１】特開２０１６−７４３０号公報
【特許文献２】実用新案登録第３１７０７３１号公報
【発明の概要】
【発明が解決しようとする課題】
【００１０】
本発明の解決しようとする課題は、コストの掛かる合紙を使用せず、板紙の折畳み構造でボードの剛性を確保すると伴に、正面パネルを折り畳むことができる持ち運びに便利な折畳ボード及びこれを用いた折畳可能なハンガー什器を提案するものである。
【課題を解決するための手段】
【００１１】
上記の課題を解決するための手段として、請求項１に記載の発明は、１枚の単紙を、縦方向の平行する山折罫線に沿って折り畳んだボードであって、正面板の左右それぞれに、前記縦方向の山折罫線を介して背面板と中面板を順次連設しており、正面板は、横方向の平行する２本の山折罫線を有し、左右の背面板は、それぞれ、前記正面板の２本の山折罫線と中心線を共有し、かつ前記２本の山折罫線より間隔の広い２本の谷折罫線と、前記中心線上に設けられた１本の山折罫線を有し、左右の中面板は、それぞれ、前記正面板の２本の山折罫線と中心線を共有し、かつ前記正面板の２本の山折罫線よりも間隔が広く、前記背面板の２本の谷折罫線よりも間隔が狭い２本の山折罫線と、前記中心線上に設けられた１本の谷折罫線を有し、前記正面板に設けられた横方向に平行する２本の山折罫線に沿って、ボードを折畳むことが可能であることを特徴とする折畳ボードである。
【００１２】
本発明に係る折畳ボードは、合紙構造を用いず、１枚の単紙を縦方向の山折罫線に沿って２回折畳んだ３重構造であるため、ボードとしての必要な強度を保ちながら、ボード自体を折畳むことが可能となった。
【００１３】
また、請求項２に記載の発明は、前記正面板、背面板、中面板に設けられた横方向に平行する罫線群を２組有することを特徴とする請求項１に記載の折畳ボードである。
【００１４】
また、請求項３に記載の発明は、請求項１または２に記載の折畳ボードの正面板にフックを取り付けたことを特徴とするハンガー什器である。
【００１５】
また、請求項４に記載の発明は、前記フックが、前記折畳ボードの正面板、中面板、背面板を貫通する孔に挿入されており、前記３枚の板を束ねて固定する働きを有するものであることを特徴とする請求項３に記載のハンガー什器である。
【００１６】
また、請求項５に記載の発明は、前記フックが、折畳むことにより、突出高さを低くすることが可能な構造であることを特徴とする請求項３または４に記載のハンガー什器である。
【発明の効果】
【００１７】
本発明に係る折畳ボードは、１枚の単紙の左右を縦方向の山折罫線に沿って２回折畳んだ３層折畳構造を持っているため、ボードとして必要とされる平面性や剛性、強度等を備えている。
【００１８】
本発明に係る折畳ボードは、合紙を用いていない為、合紙に要する費用がかからず、低コストで製造することができる。また、合紙の場合、折畳可能にするためには、切込みを入れたり、板同士を繋いだりする必要があり、費用の点で問題があったが、本発明に係る折畳ボードでは、そのような問題が生じない。
【００１９】
本発明に係る折畳ボードは、正面板の横方向に２本の平行する山折罫線を備え、この山折罫線に位置を合わせて、背面板、中面板の呼応する位置にも折罫線を設けたので、ボー
ド自体を折畳むことが可能となった。合紙の場合、折畳可能にするためには、切込みを入れたり、板同士を繋いだりする必要があるため、耐久性の面で問題があったが、本発明に係る折畳ボードは、そのような必要がないため、耐久性に優れ、強度的にも有利である。
【００２０】
請求項２に記載の発明のように、正面板、背面板、中面板に設けられた横方向に平行する罫線群を２組有する場合には、ボードを２箇所で折畳むことができるので、１箇所の場合に比較してさらに小さく折畳むことが可能となる。
【００２１】
請求項３に記載の発明のように、本発明に係る折畳ボードの正面板にフックを取り付けることにより、折畳可能なハンガー什器が実現する。
【００２２】
請求項４に記載の発明のように、前記フックが、前記折畳ボードの正面板、中面板、背面板を貫通する孔に挿入されており、前記３枚の板を束ねて固定する働きを有するものである場合には、３枚の板を予め接着剤等によって固定しておく必要がなくなるため、製造コストのさらなる低減に効果を発揮する。
【００２３】
請求項５に記載の発明のように、前記フックが、折畳むことにより、突出高さを低くすることが可能な構造である場合には、ボードにフックを取り付けた状態で折畳むことが可能となるため、運搬性に優れ、しかも現場で極めて簡単に展開することができるハンガー什器が実現する。
【図面の簡単な説明】
【００２４】
【図１】図１は、本発明に係る折畳ボードの一実施態様における平面模式図であり、図１（ａ）は、折畳む前の状態を、また図１（ｂ）は、折畳んだ状態をそれぞれ示している。
【図２】図２は、図１に示した折畳ボードを構成する単紙を表面側から見た展開図であり、点線は山折罫線を、一点鎖線は谷折罫線をそれぞれ示している。
【図３】図３は、本発明に係る折畳ボードの他の実施態様における展開図であり、横方向に平行する罫線群を２組備えたものである。
【図４】図４は、本発明に係る折畳ボードを用いたハンガー什器の一実施態様を示した模式図であり、図４（ａ）は、正面模式図を、図４（ｂ）は、右側面模式図をそれぞれ示したものである。
【図５】図５は、図４に示したハンガー什器に用いた折畳ボードを構成する単紙を表面側から見た展開図である。点線は山折罫線を、一点鎖線は谷折罫線をそれぞれ示している。
【図６】図６は、図４に示したハンガー什器のフックを折畳み、ボードを横方向の山折罫線に沿って折畳んだ状態を示した模式図であり、図６（ａ）は、正面模式図を、図６（ｂ）は、右側面模式図をそれぞれ示している。
【図７】図７は、本発明に係る折畳ボードを用いたハンガー什器の他の実施態様を示した模式図であり、図７（ａ）は、正面模式図を、図７（ｂ）は、右側面模式図をそれぞれ示したものである。
【図８】図８は、図７に示したハンガー什器に用いた折畳ボードを構成する単紙を表面側から見た展開図である。点線は山折罫線を、一点鎖線は谷折罫線をそれぞれ示している。
【発明を実施するための形態】
【００２５】
以下、図面を参照しながら本発明に係る折畳ボード並びにこれを用いたハンガー什器について詳細に説明する。図１は、本発明に係る折畳ボード１の一実施態様における平面模式図であり、図１（ａ）は、折畳む前の状態を、また図１（ｂ）は、折畳んだ状態をそれぞれ示している。また、図２は、図１に示した折畳ボード１を構成する単紙を表面側から見た展開図であり、点線は山折罫線を、一点鎖線は谷折罫線をそれぞれ示している。
【００２６】
本発明に係る折畳ボード１は、図２に示したように、１枚の単紙を、縦方向の平行する山折罫線５、６、７、８に沿って折り畳んだボードであって、正面板２の左右それぞれに、縦方向の山折罫線５、６、７、８を介して背面板３と中面板４を順次連設しており、正面板２は、横方向の平行する２本の山折罫線９、１０を有する。
左右の背面板３は、それぞれ、正面板２の２本の山折罫線９、１０と中心線（図示せず）を共有し、かつ２本の山折罫線９、１０より間隔の広い２本の谷折罫線１１と、前記中心線上に設けられた１本の山折罫線１２を有し、左右の中面板４は、それぞれ、正面板２の２本の山折罫線９、１０と中心線（図示せず）を共有し、かつ正面板２の２本の山折罫線９、１０よりも間隔が広く、背面板３の２本の谷折罫線１１よりも間隔が狭い２本の山折罫線１３と、前記中心線上に設けられた１本の谷折罫線１４を有する。以下、折罫線９〜１４を横方向の罫線群１５と称する。
本発明に係る折畳ボード１は、図１（ｂ）に示したように、正面板２に設けられた横方向に平行する２本の山折罫線９、１０に沿って、ボードを折畳むことが可能であることを特徴とする。この時、背面板３は、正面板２の裏側に折り込まれているので、折り方向が逆になり、谷折りとなる。また、中面板４は、背面板３の内側に折り込まれているので、折り方向が逆になり、山折りとなる。
【００２７】
背面板３の２本の山折罫線１１の中心に設けた山折罫線１２は、折畳みの内側において、背面板３および中面板４が余って皺になるのを防ぐ働きをするものであり、図６に示したように、三角形状に立ち上がって、紙の余りを吸収している。このため、折畳み部分が円滑に折れるのである。
【００２８】
この時、図２に示したような切込み１６を設けておくことにより、中心線上の山折罫線１２が円滑に立ち上がるのを助ける効果がある。切込み１６は、必須ではなく、切込み１６が無くても折畳むことは可能であるが、切込み１６が存在することで、より円滑に折畳むことができる。
【００２９】
中面板４の中心線上に設けられた谷折罫線１４は、中面板４が背面板３と正面板２との間にあって、背面板３と同じ挙動をするように設けられたものである。これにより、中面板４は、背面板３の裏側に密着した状態で折り込まれることになる。
【００３０】
１枚の単紙を折り込んで折畳ボード１を作成するに当たっては、正面板、背面板、中面板をそれぞれ部分的に接着剤等を用いて、接着固定しても良い。但し少なくとも折畳み部分は接着しない方が良い。全面を接着した場合は、従来の合紙と変わらなくなり、折畳みが困難になる。
【００３１】
図３は、本発明に係る折畳ボード１の他の実施態様における展開図であり、横方向に平行する罫線群１５を２組備えたものである。これを折り込んで成形したボードは特に図示しないが、横方向の罫線群１５を２組備えたことにより、よりコンパクトに折畳むことが可能となる。
【００３２】
図４は、本発明に係る折畳ボード１を用いたハンガー什器２０の一実施態様を示した模式図であり、図４（ａ）は、正面模式図を、図４（ｂ）は、右側面模式図をそれぞれ示し
たものである。図５は、図４に示したハンガー什器２０に用いた折畳ボード１を構成する単紙を表面側から見た展開図である。点線は山折罫線を、一点鎖線は谷折罫線をそれぞれ示している。また、図６は、図４に示したハンガー什器２０のフック２３を折畳み、ボードを横方向の山折罫線９、１０に沿って折畳んだ状態を示した模式図であり、図６（ａ）は、正面模式図を、図６（ｂ）は、右側面模式図をそれぞれ示している。
【００３３】
本発明に係るハンガー什器２０は、本発明に係る折畳ボード１の正面板２にフック２３を取り付けたものであり、フック２３に各種物品を吊下げて展示することができるものである。
【００３４】
図４に示した例では、半分に折畳み可能な折畳ボード１にフック２３が３つ取付けられており、全体を吊下げ紐２１で吊下げられるようになっている。フック２３は、折畳ボード１を貫通する貫通孔２２に取付けられており、フック本体と引掛け爪２５によって折畳ボード１の３枚の板を束ねて固定する働きをしている。従ってこの例では、正面板、背面板、中面板の３枚の板は、接着剤等で固定する必要がなく、縦方向の山折罫線に沿って単に折っただけで３つのフック２３によって固定されている。
【００３５】
なお、この例では、背面板３と中面板４の間の罫線６、８の上に貫通孔２２が設けられているため、フック２３は、左右の２枚の背面板３、３を繋ぎ止める働きも兼ねている。
【００３６】
この例に用いたフック２３は、図６に示したように、フックのアーム部がヒンジ２４を中心にして回転するように作られているため、折畳ボード１を折畳む際には、フックもまた折畳んで、突出高さを低くすることができる。これにより、図４〜６に示したハンガー什器２０は、運搬性が極めて良好であり、また、現場において展開するのも極めて簡単にできるという特徴を持っている。
【００３７】
図７は、本発明に係る折畳ボード１を用いたハンガー什器２０の他の実施態様を示した模式図であり、図７（ａ）は、正面模式図を、図７（ｂ）は、右側面模式図をそれぞれ示したものである。また、図８は、図７に示したハンガー什器２０に用いた折畳ボード１を構成する単紙を表面側から見た展開図である。点線は山折罫線を、一点鎖線は谷折罫線をそれぞれ示している。
【００３８】
図７、８に示した例では、１枚の折畳ボード１に８つのフック２３が取付けられており、中央部で上下に２つに折畳むことができる。ハンガー什器は、品物を掛けて展示するものであるため、上下方向に細長くなりがちであるが、本発明のハンガー什器は、横方向の２本の山折罫線で上下に折畳むことができるため、輸送あるいは携帯に便利である。
【００３９】
さらにフックを折畳可能な構造とすることで、さらにコンパクトに折畳むことができ、ハンガー什器の輸送効率や携帯性がさらに高まる。
【符号の説明】
【００４０】
１・・・折畳ボード
２・・・正面板
３・・・背面板
４・・・中面板
５、６、７、８・・・縦方向の山折罫線
９・・・横方向の山折罫線
１０・・・横方向の山折罫線
１１・・・２本の谷折罫線
１２・・・中心線上の山折罫線
１３・・・２本の山折罫線
１４・・・中心線上の谷折罫線
１５・・・横方向の罫線群
１６・・・切込み
２０・・・ハンガー什器
２１・・・吊下げ紐
２２・・・貫通孔
２３・・・フック
２４・・・ヒンジ
２５・・・引掛け爪
【図１】
2019050920.tif 000003
【図２】
2019050920.tif 000004
【図３】
2019050920.tif 000005
【図４】
2019050920.tif 000006
【図５】
2019050920.tif 000007
【図６】
2019050920.tif 000008
【図７】
2019050920.tif 000009
【図８】
2019050920.tif 000010